(57)【要約】【課題】浄化水生成装置の使い勝手を向上させ、ユーザーの利便性を高める。【解決手段】浄化水生成装置（1）では、上面が開口した容器状の第１槽（10）に、第２槽（20）が着脱可能に取り付けられる。第１槽（10）に第２槽（20）を取り付けた状態では、第２槽（20）の底部である絶縁底部（30）が、第１貯留空間（14）と第２貯留空間（25）を仕切る。絶縁底部（30）には、放電孔（33）が形成される。第１電極（51）と第２電極（52）に電源（45）が電圧を印加すると、放電孔（33）に形成された気泡（100）中で放電が生起し、第１貯留空間（14）及び第２貯留空間（25）の水中で殺菌成分が生成する。【選択図】図２
2019051457.tif 000002
【特許請求の範囲】
【請求項１】
注水用開口（10a）が設けられた容器状に形成されて第１貯留空間（14）を形成する第１槽（10）と、
第２貯留空間（25）を形成し、上記第１槽（10）に着脱可能に取り付けられて該第１槽（10）の上記注水用開口（10a）を覆う第２槽（20）と、
上記第１槽（10）に設けられて上記第１貯留空間（14）の水と接触する第１電極（51）と、
上記第２槽（20）に設けられて上記第２貯留空間（25）の水と接触する第２電極（52）と、
上記第１電極（51）と上記第２電極（52）に電圧を印加するための電源（45）とを備え、
上記第２槽（20）には、上記第１貯留空間（14）の水と上記第２貯留空間（25）の水を仕切る電気絶縁性の絶縁壁部（30）が設けられ、
上記第２槽（20）の上記絶縁壁部（30）には、該絶縁壁部（30）を厚さ方向に貫通する放電孔（33）が形成され、
上記放電孔（33）に形成された気泡（100）中で放電を生起させることによって、上記第１貯留空間（14）及び上記第２貯留空間（25）の水中において殺菌成分を生成させる
ことを特徴とする浄化水生成装置。
【請求項２】
請求項１において、
上記第２槽（20）は、上記第２電極（52）に電気的に接続されて上記第１槽（10）側を向くように設置された第２電極側接続部（62）を有し、
上記第１槽（10）は、上記第２電極側接続部（62）と対向する位置に設けられ、上記第２槽（20）を上記第１槽（10）に取り付けた状態で上記第２電極側接続部（62）と電気的に接続する第１中間接続部（61）を有し、
上記第２電極（52）は、上記第２槽（20）を上記第１槽（10）に取り付けた状態で、上記第１中間接続部（61）及び上記第２電極側接続部（62）を介して上記電源（45）に電気的に接続される
ことを特徴とする浄化水生成装置。
【請求項３】
請求項２において、
上記第１槽（10）を置くための台状に形成されて上記電源（45）を収容する台座部（40）と、
上記第１槽（10）に設けられた上記第１電極（51）と上記第１中間接続部（61）のそれぞれを、上記台座部（40）に収容された上記電源（45）と電気的に接続するための導電部材（60）とを備えている
ことを特徴とする浄化水生成装置。
【請求項４】
請求項３において、
上記第１槽（10）のうち上記台座部（40）と向かい合う部分に設けられて上記第１電極（51）に電気的に接続された第１電極側接続部（63）と、
上記第１槽（10）のうち上記台座部（40）と向かい合う部分に設けられて上記第１中間接続部（61）と電気的に接続された第２中間接続部（64）と、
上記台座部（40）に設けられて上記第１槽（10）の上記第１電極側接続部（63）と対向し且つ上記電源（45）に電気的に接続された第１台側接続部（65）と、
上記台座部（40）に設けられて上記第１槽（10）の上記第２中間接続部（64）と対向し且つ上記電源（45）に電気的に接続された第２台側接続部（66）とを、上記導電部材（60）として備え、
上記第１槽（10）を上記台座部（40）に置いた状態で、上記第１電極側接続部（63）が上記第１台側接続部（65）と電気的に接続し、上記第２中間接続部（64）が上記第２台側接続部（66）と電気的に接続する
ことを特徴とする浄化水生成装置。
【請求項５】
請求項１乃至４のいずれか一つにおいて、
上記第１槽（10）の上に上記第２槽（20）が載った状態で、上記放電孔（33）に形成された気泡（100）中で放電を生起させるように構成され、
上記第２槽（20）の上記絶縁壁部（30）の下面には、下方へ膨出して上記放電孔（33）が設けられる膨出部（30a）が形成されている
ことを特徴とする浄化水生成装置。
【請求項６】
請求項１乃至５のいずれか一つにおいて、
上記第２槽（20）を上記第１槽（10）に取り付ける過程で該第１貯留空間（14）の水を上記第２貯留空間（25）へ導入し、上記第２槽（20）を上記第１槽（10）に取り付けた状態で上記第１貯留空間（14）の水と上記第２貯留空間（25）の水を電気的に絶縁する導水構造（70）を備えている
ことを特徴とする浄化水生成装置。
【請求項７】
請求項６において、
一端が上記第２槽（20）の上記絶縁壁部（30）における上記第１槽（10）側の面に開口し、他端が上記第２槽（20）を上記第１槽（10）に取り付けた状態で上記第２貯留空間（25）の水面よりも上方に位置する水通路（73,77,78）が、上記導水構造（70）を構成している
ことを特徴とする浄化水生成装置。
【請求項８】
請求項６において、
上記第２槽（20）の上記絶縁壁部（30）を貫通して上記絶縁壁部（30）における上記第１槽（10）側の面に入口端（72a）が開口する貫通通路（72）と、上記第１槽（10）に設けられて上記第２槽（20）を上記第１槽（10）に取り付けた状態で上記貫通通路（72）の上記入口端（72a）を塞ぐ電気絶縁性のシール部材（71）とが、上記導水構造（70）を構成している
ことを特徴とする浄化水生成装置。
【請求項９】
請求項６において、
上記第２槽（20）の上記絶縁壁部（30）を貫通して上記絶縁壁部（30）における上記第１槽（10）側の面に入口端（72a）が開口する貫通通路（72）と、上記貫通通路（72）の水が上記第２槽（20）へ排出されるように上記貫通通路（72）へ空気を供給し且つ該貫通通路（72）に空気を封入する給気機構（90）とが、上記導水構造（70）を構成している
ことを特徴とする浄化水生成装置。
【請求項１０】
請求項１乃至５のいずれか一つにおいて、
上記第２槽（20）には、上記第１貯留空間（14）に連通する第１通路（77）と、上記第２貯留空間（25）に連通する第２通路（78）とが形成される一方、
上記第２貯留空間（25）を覆うように設けられ且つ排水通路（38）が形成された蓋部材（36）と、
上記排水通路（38）が上記第１通路（77）に連通して上記第２通路（78）から遮断される第１状態と、上記排水通路（38）が上記第２通路（78）に連通して上記第１通路（77）から遮断される第２状態と、上記排水通路（38）が上記第１通路（77）と上記第２通路（78）の両方に連通する第３状態とに切り換わるように構成された切換弁（79）とを更に備えている
ことを特徴とする浄化水生成装置。
【請求項１１】
請求項１乃至５のいずれか一つにおいて、
上記第２槽（20）の上記絶縁壁部（30）は、
上記放電孔（33）が形成された取付用部材（83）と、
上記取付用部材（83）と別体に形成されて、該取付用部材（83）を着脱可能に嵌め込むための取付孔（81）が形成された本体壁部（80）とを備えている
ことを特徴とする浄化水生成装置。
【請求項１２】
請求項１１において、
上記第２槽（20）の上記絶縁壁部（30）は、
上記取付用部材（83）と上記本体壁部（80）の隙間に配置される第１Ｏリング（87）と、
上記取付用部材（83）と上記本体壁部（80）の隙間に、上記第１Ｏリング（87）との間に空気が密封されるように配置される第２Ｏリング（88）とを備えている
ことを特徴とする浄化水生成装置。
【発明の詳細な説明】
【技術分野】
【０００１】
本発明は、殺菌成分を含んだ浄化水を生成する浄化水生成装置に関するものである。
【背景技術】
【０００２】
従来より、水中の気泡中で放電を生起させることによって、水酸化ラジカル等の殺菌成分を含んだ浄化水を生成する装置が知られている。特許文献１には、この浄化水生成装置の一種である水処理装置が開示されている。
【０００３】
特許文献１の水処理装置では、処理槽に電気絶縁性の仕切板が固定されている。処理槽の内部空間は、起立した仕切板によって第１レーンと第２レーンに仕切られる。処理槽では、第１レーンに第１電極が配置され、第２レーンに第２電極が配置される。仕切板には、微小な放電孔が形成される。そして、処理槽内の水に使った第１電極と第２電極に交番型の高電圧を印加すると、放電孔に形成された気泡中で放電が生起し、処理槽内の水の中で殺菌因子が発生する。
【先行技術文献】
【特許文献】
【０００４】
【特許文献１】特開２０１４−０７９７３３号公報
【発明の概要】
【発明が解決しようとする課題】
【０００５】
上述したように、従来の水処理装置では、水処理槽に固定された仕切板が、処理槽の内部空間を２つのレーンに仕切っている。つまり、この水処理装置の処理槽は、第１レーンを形成する第１槽と、第２レーンを形成する第２槽とを一体化したものとなっている。このため、例えば、処理槽を持ち運ぶ際や、処理槽を傾けて水を処理槽から排出する際には、一体化された２つの槽を同時に取り扱う必要があり、用途によっては使い勝手が悪くなるおそれがあった。
【０００６】
本発明は、かかる点に鑑みてなされたものであり、その目的は、浄化水生成装置の使い勝手を向上させ、ユーザーの利便性を高めることにある。
【課題を解決するための手段】
【０００７】
第１の発明は、浄化水生成装置を対象とし、注水用開口（10a）が設けられた容器状に形成されて第１貯留空間（14）を形成する第１槽（10）と、第２貯留空間（25）を形成し、上記第１槽（10）に着脱可能に取り付けられて該第１槽（10）の上記注水用開口（10a）を覆う第２槽（20）と、上記第１槽（10）に設けられて上記第１貯留空間（14）の水と接触する第１電極（51）と、上記第２槽（20）に設けられて上記第２貯留空間（25）の水と接触する第２電極（52）と、上記第１電極（51）と上記第２電極（52）に電圧を印加するための電源（45）とを備え、上記第２槽（20）には、上記第１貯留空間（14）の水と上記第２貯留空間（25）の水を仕切る電気絶縁性の絶縁壁部（30）が設けられ、上記第２槽（20）の上記絶縁壁部（30）には、該絶縁壁部（30）を厚さ方向に貫通する放電孔（33）が形成され、上記放電孔（33）に形成された気泡（100）中で放電を生起させることによって、上記第１貯留空間（14）及び上記第２貯留空間（25）の水中において殺菌成分を生成させるものである。
【０００８】
第１の発明の浄化水生成装置（1）では、第１槽（10）に第２槽（20）を取り付けると、第１貯留空間（14）と第２貯留空間（25）が、第２槽（20）の絶縁壁部（30）によって仕切られた状態となる。絶縁壁部（30）に形成された放電孔（33）は、水に浸かった状態となる。第１電極（51）と第２電極（52）に電圧を印加すると、水中に位置する放電孔（33）において気泡（100）が形成され、第１貯留空間（14）の水と第２貯留空間（25）の水の間に電位差が生じる。そして、放電孔（33）に形成された気泡（100）において、第１貯留空間（14）側の気液界面と第２貯留空間（25）側の気液界面の間で絶縁破壊が生じると、気泡（100）内において放電が生起する。その結果、第１貯留空間（14）及び第２貯留空間（25）の水中において水酸ラジカルや過酸化水素などの殺菌成分が生成し、第１貯留空間（14）及び第２貯留空間（25）の水が殺菌成分を含んだ浄化水となる。
【０００９】
第１の発明の浄化水生成装置（1）では、第２槽（20）が第１槽（10）に対して着脱可能となっている。第１槽（10）から第２槽（20）を取り外した状態において、第１槽（10）は、注水用開口（10a）が露出した状態となる。このため、第１槽（10）だけを傾ければ、第１貯留空間（14）から浄化水を取り出すことができる。
【００１０】
第２の発明は、上記第１の発明において、上記第２槽（20）は、上記第２電極（52）に電気的に接続されて上記第１槽（10）側を向くように設置された第２電極側接続部（62）を有し、上記第１槽（10）は、上記第２電極側接続部（62）と対向する位置に設けられ、上記第２槽（20）を上記第１槽（10）に取り付けた状態で上記第２電極側接続部（62）と電気的に接続する第１中間接続部（61）を有し、上記第２電極（52）は、上記第２槽（20）を上記第１槽（10）に取り付けた状態で、上記第１中間接続部（61）及び上記第２電極側接続部（62）を介して上記電源（45）に電気的に接続されるものである。
【００１１】
第２の発明では、第１槽（10）に第２槽（20）を取り付けると、第２電極側接続部（62）が第１中間接続部（61）と電気的に接続し、第２電極（52）が第１中間接続部（61）と電気的に導通する。その結果、第２電極（52）が電源（45）に電気的に接続される。
【００１２】
第３の発明は、上記第２の発明において、上記第１槽（10）を置くための台状に形成されて上記電源（45）を収容する台座部（40）と、上記第１槽（10）に設けられた上記第１電極（51）と上記第１中間接続部（61）のそれぞれを、上記台座部（40）に収容された上記電源（45）と電気的に接続するための導電部材（60）とを備えるものである。
【００１３】
第３の発明では、第１槽（10）とは別体の台座部（40）に電源（45）が収容される。このため、電源（45）が第１槽（10）に収容される場合に比べ、第１槽（10）が軽量となり、第１槽（10）の取り扱いが一層容易となる。
【００１４】
この第３の発明において、第１槽（10）を台座部（40）に置くと、導電部材（60）によって、第１槽（10）の第１電極（51）と第１中間接続部（61）のそれぞれが電源（45）に接続される。第１槽（10）に第２槽（20）を取り付けた状態では、第２電極（52）が第２電極側接続部（62）を介して第１中間接続部（61）と電気的に導通する。このため、第２槽（20）を取り付けた第１槽（10）を台座部（40）に置くだけで、第１電極（51）と第２電極（52）のそれぞれが電源（45）に電気的に接続される。
【００１５】
第４の発明は、上記第３の発明において、上記第１槽（10）のうち上記台座部（40）と向かい合う部分に設けられて上記第１電極（51）に電気的に接続された第１電極側接続部（63）と、上記第１槽（10）のうち上記台座部（40）と向かい合う部分に設けられて上記第１中間接続部（61）と電気的に接続された第２中間接続部（64）と、上記台座部（40）に設けられて上記第１槽（10）の上記第１電極側接続部（63）と対向し且つ上記電源（45）に電気的に接続された第１台側接続部（65）と、上記台座部（40）に設けられて上記第１槽（10）の上記第２中間接続部（64）と対向し且つ上記電源（45）に電気的に接続された第２台側接続部（66）とを、上記導電部材（60）として備え、上記第１槽（10）を上記台座部（40）に置いた状態で、上記第１電極側接続部（63）が上記第１台側接続部（65）と電気的に接続し、上記第２中間接続部（64）が上記第２台側接続部（66）と電気的に接続するものである。
【００１６】
第４の発明では、第１槽（10）を台座部（40）に置くと、第１槽（10）の第１電極側接続部（63）が台座部（40）の第１台側接続部（65）と電気的に接続し、第１槽（10）の第２中間接続部（64）が台座部（40）の第２台側接続部（66）と電気的に接続する。その結果、第１電極（51）は、第１電極側接続部（63）と第２台側接続部（66）とを介して電源（45）に電気的に接続し、第２電極（52）は、第１中間接続部（61）と第２電極側接続部（62）と第２中間接続部（64）と第２台側接続部（66）とを介して電源（45）に電気的に接続する。このため、第２槽（20）を取り付けた第１槽（10）を台座部（40）に置くだけで、第１電極（51）と第２電極（52）のそれぞれが電源（45）に電気的に接続される。
【００１７】
第５の発明は、上記第１〜第４のいずれか一つの発明において、上記第１槽（10）の上に上記第２槽（20）が載った状態で、上記放電孔（33）に形成された気泡（100）中で放電を生起させるように構成され、上記第２槽（20）の上記絶縁壁部（30）の下面には、下方へ膨出して上記放電孔（33）が設けられる膨出部（30a）が形成されるものである。
【００１８】
ここで、第１槽（10）に第２槽（20）を取り付ける際に第１貯留空間（14）に空気が残存し、この第１貯留空間（14）に残存する空気が放電孔（33）を含む領域に存在すると、放電孔（33）を覆う気泡（100）の第１貯留空間（14）側の気液界面と第２貯留空間（25）側の気液界面との間の電気抵抗が大きくなり過ぎ、放電を生起させることができなくなるおそれがある。
【００１９】
一方、第５の発明では、第２槽（20）の絶縁壁部（30）に膨出部（30a）が形成されている。このため、第１槽（10）に第２槽（20）を取り付ける際に第１貯留空間（14）に空気が残存したとしても、この空気は膨出部（30a）の周囲の部分（即ち、膨出部（30a）の下面よりも上方の部分）に集まる。つまり、仮に第１貯留空間（14）に空気が残存しても、第１貯留空間（14）に残存する空気が放電孔（33）の周辺に集まりにくい。従って、この発明の浄化水生成装置（1）では、放電孔（33）に形成された気泡（100）中において放電が安定して生起する。
【００２０】
第６の発明は、上記第１〜第５のいずれか一つの発明において、上記第２槽（20）を上記第１槽（10）に取り付ける過程で該第１貯留空間（14）の水を上記第２貯留空間（25）へ導入し、上記第２槽（20）を上記第１槽（10）に取り付けた状態で上記第１貯留空間（14）の水と上記第２貯留空間（25）の水を電気的に絶縁する導水構造（70）を備えるものである。
【００２１】
第６の発明では、浄化水生成装置（1）に導水構造（70）が設けられる。第２槽（20）を第１槽（10）に取り付ける過程において、導水構造（70）は、第１貯留空間（14）の水を第２貯留空間（25）へ導入する。このため、第２槽（20）へ水を注ぐ作業を行わなくても、水を溜めた第１槽（10）に第２槽（20）を取り付けるだけで、第２貯留空間（25）に水が供給される。また、第２槽（20）を第１槽（10）に取り付けた状態では、導水構造（70）が第１貯留空間（14）の水と第２貯留空間（25）の水を電気的に絶縁する。
【００２２】
第７の発明は、上記第６の発明において、一端が上記第２槽（20）の上記絶縁壁部（30）における上記第１槽（10）側の面に開口し、他端が上記第２槽（20）を上記第１槽（10）に取り付けた状態で上記第２貯留空間（25）の水面よりも上方に位置する水通路（73,77,78）が、上記導水構造（70）を構成しているものである。
【００２３】
第７の発明では、第２槽（20）に形成された水通路（73,77,78）が、導水構造（70）を構成する。第２槽（20）を第１槽（10）に取り付ける過程では、絶縁壁部（30）の第１槽（10）側の面に開口する水通路（73,77,78）の一端から、第１貯留空間（14）の水が水通路（73,77,78）へ流入する。その結果、第１貯留空間（14）の水の一部が、水通路（73,77,78）を通って第２貯留空間（25）へ移動する。第２槽（20）を第１槽（10）に取り付けた状態では、水通路（73,77,78）の他端が、第２貯留空間（25）の水面よりも上方に位置する。このため、第１貯留空間（14）に連通する水通路（73,77,78）に残存する水と、第２貯留空間（25）に存在する水との間に空気が介在し、両者が電気的に絶縁される。
【００２４】
第８の発明は、上記第６の発明において、上記第２槽（20）の上記絶縁壁部（30）を貫通して上記絶縁壁部（30）における上記第１槽（10）側の面に入口端（72a）が開口する貫通通路（72）と、上記第１槽（10）に設けられて上記第２槽（20）を上記第１槽（10）に取り付けた状態で上記貫通通路（72）の上記入口端（72a）を塞ぐ電気絶縁性のシール部材（71）とが、上記導水構造（70）を構成しているものである。
【００２５】
第８の発明では、第２槽（20）に形成された貫通通路（72）と、第１槽（10）に取り付けられたシール部材（71）とが、導水構造（70）を構成する。第２槽（20）を第１槽（10）に取り付ける過程では、第１貯留空間（14）の水が、絶縁壁部（30）を貫通する貫通通路（72）を通って、第２貯留空間（25）へ流入する。その結果、第１貯留空間（14）の水の一部が、貫通通路（72）を通って第２貯留空間（25）へ移動する。第２槽（20）を第１槽（10）に取り付けた状態では、絶縁壁部（30）に形成された貫通通路（72）の入口端（72a）が、電気絶縁性のシール部材（71）によって塞がれる。第２貯留空間（25）に連通する貫通通路（72）の水と、第１貯留空間（14）の水は、シール部材（71）によって電気的に絶縁される。
【００２６】
第９の発明は、上記第６の発明において、上記第２槽（20）の上記絶縁壁部（30）を貫通して上記絶縁壁部（30）における上記第１槽（10）側の面に入口端（72a）が開口する貫通通路（72）と、上記貫通通路（72）の水が上記第２槽（20）へ排出されるように上記貫通通路（72）へ空気を供給し且つ該貫通通路（72）に空気を封入する給気機構（90）とが、上記導水構造（70）を構成するものである。
【００２７】
第９の発明では、第２槽（20）に形成された貫通通路（72）と、給気機構（90）とが、導水構造（70）を構成する。第２槽（20）を第１槽（10）に取り付ける過程では、第１貯留空間（14）の水が、絶縁壁部（30）を貫通する貫通通路（72）を通って、第２貯留空間（25）へ流入する。その結果、第１貯留空間（14）の水の一部が、貫通通路（72）を通って第２貯留空間（25）へ移動する。その後に給気機構（90）が貫通通路（72）へ空気を供給すると、貫通通路（72）の水の少なくとも一部が第２槽（20）へ排出されると共に、貫通通路（72）に空気が封入される。第２貯留空間（25）の水と、第１貯留空間（14）の水は、貫通通路（72）に封入された空気によって電気的に絶縁される。
【００２８】
第１０の発明は、上記第１〜第５のいずれか一つの発明において、上記第２槽（20）には、上記第１貯留空間（14）に連通する第１通路（77）と、上記第２貯留空間（25）に連通する第２通路（78）とが形成される一方、上記第２貯留空間（25）を覆うように設けられ且つ排水通路（38）が形成された蓋部材（36）と、上記排水通路（38）が上記第１通路（77）に連通して上記第２通路（78）から遮断される第１状態と、上記排水通路（38）が上記第２通路（78）に連通して上記第１通路（77）から遮断される第２状態と、上記排水通路（38）が上記第１通路（77）と上記第２通路（78）の両方に連通する第３状態とに切り換わるように構成された切換弁（79）とを更に備えるものである。
【００２９】
ここで、放電によって第１貯留空間（14）と第２貯留空間（25）のそれぞれで生成する殺菌成分の量は、実質的に等しい。そのため、第１貯留空間（14）と第２貯留空間（25）の容積が異なる場合、浄化水の殺菌成分の濃度は、第１貯留空間（14）と第２貯留空間（25）のうち容積の小さい方において高くなり、両者のうち容積の大きい方において低くなる。
【００３０】
一方、第１０の発明では、切換弁（79）の状態を切り換えることによって、排水通路（38）から排出される浄化水を変更できる。切換弁（79）を第１状態に設定すると、第１貯留空間（14）の浄化水だけが第１通路（77）と排水通路（38）を通って排出される。切換弁（79）を第２状態に設定すると、第２貯留空間（25）の浄化水だけが第２通路（78）と排水通路（38）を通って排出される。切換弁（79）を第３状態に設定すると、第１貯留空間（14）の浄化水と第２貯留空間（25）の浄化水の両方が排水通路（38）へ流入して混合された後に排出される。そして、第１貯留空間（14）と第２貯留空間（25）において浄化水の殺菌成分の濃度が異なる場合は、切換弁（79）を切り換えることによって、浄化水生成装置（1）から排出される浄化水の殺菌成分の濃度を変更できる。
【００３１】
第１１の発明は、上記第１〜第５のいずれか一つの発明において、上記第２槽（20）の上記絶縁壁部（30）は、上記放電孔（33）が形成された取付用部材（83）と、上記取付用部材（83）と別体に形成されて、該取付用部材（83）を着脱可能に嵌め込むための取付孔（81）が形成された本体壁部（80）とを備えるものである。
【００３２】
第１１の発明の絶縁壁部（30）では、本体壁部（80）の取付孔（81）に取付用部材（83）が取り付けられる。この発明の浄化水生成装置（1）では、本体壁部（80）に取り付けられた取付用部材（83）の放電孔（33）において放電が生起する。放電孔（33）において放電が生起すると、放電によって生じた熱などによって、放電孔（33）が僅かずつ拡大するおそれがある。放電孔（33）の大きさが適正値を超えると、放電孔（33）において放電を生起させることができなくなる。そのような場合は、取付用部材（83）を交換すれば、放電孔（33）において再び放電を生起させることが可能となり、浄化水生成装置（1）の機能が回復する。
【００３３】
第１２の発明は、上記第１１の発明において、上記第２槽（20）の上記絶縁壁部（30）は、上記取付用部材（83）と上記本体壁部（80）の隙間に配置される第１Ｏリング（87）と、上記取付用部材（83）と上記本体壁部（80）の隙間に、上記第１Ｏリング（87）との間に空気が密封されるように配置される第２Ｏリング（88）とを備えるものである。
【００３４】
第１２の発明の絶縁壁部（30）では、取付用部材（83）と上記本体壁部（80）の隙間に、第１Ｏリング（87）および第２Ｏリング（88）が配置される。そして、取付用部材（83）と本体壁部（80）の隙間では、第１Ｏリング（87）と第２Ｏリング（88）の間に空気が密封される。そして、絶縁壁部（30）によって仕切られた第１貯留空間（14）の水と第２貯留空間（25）の水は、取付用部材（83）と上記本体壁部（80）の隙間に密封された空気によって、電気的に絶縁される。
【発明の効果】
【００３５】
本発明の浄化水生成装置（1）では、第２槽（20）の絶縁壁部（30）が、第１貯留空間（14）と第２貯留空間（25）を仕切っている。このため、第１槽（10）に第２槽（20）を取り付けた状態では、第１貯留空間（14）と第２貯留空間（25）を絶縁壁部（30）で仕切って放電孔（33）の気泡（100）中で放電を生起させることができる一方、第１槽（10）から第２槽（20）を取り外した状態では、注水用開口（10a）が露出した第１槽（10）だけを取り扱うことによって第１貯留空間（14）から浄化水を取り出すことが可能となる。従って、本発明によれば、浄化水生成装置（1）の使い勝手を向上させてユーザーの利便性を高めることが可能となる。
【００３６】
上記第２の発明では、第１槽（10）に第２槽（20）を取り付けることによって、第２電極側接続部（62）が第１中間接続部（61）と電気的に接続し、第２電極（52）が電源（45）に電気的に接続される。つまり、この発明では、第１槽（10）に第２槽（20）を取り付ける作業を行うだけで、第２電極（52）を電源（45）に電気的に接続することができる。従って、この発明によれば、第１槽（10）に第２槽（20）を取り付ける作業と第２電極（52）を電源（45）に接続する作業とを別々に行う場合に比べ、浄化水生成装置（1）を使用するための準備作業を簡素化でき、浄化水生成装置（1）のユーザーの利便性を確保できる。
【００３７】
上記第３及び第４の各発明では、第１槽（10）とは別体の台座部（40）に電源（45）が収容される。このため、電源（45）が第１槽（10）に収容される場合に比べ、第１槽（10）を軽量化でき、第１槽（10）の取り扱いを一層容易にすることができる。また、第２槽（20）を取り付けた第１槽（10）を台座部（40）に載せるだけで、導電部材（60）によって第１電極（51）と第２電極（52）が電源（45）に電気的に接続される。従って、この発明によれば、浄化水生成装置（1）を使用するための準備作業を簡素に保ちつつ、第１槽（10）を軽量化してユーザーの利便性を一層高めることができる。
【００３８】
上記第５の発明では、第２槽（20）の絶縁壁部（30）に形成された膨出部（30a）に放電孔（33）を設けている。このため、第１槽（10）に第２槽（20）を取り付ける際に第１貯留空間（14）に空気が残存しても、第１貯留空間（14）に残存する空気は、膨出部（30a）を囲む領域に集まることとなり、放電孔（33）の周辺（即ち、膨出部（30a）の下面付近）に集まりにくくなる。従って、この発明によれば、第１貯留空間（14）に残存する空気によって放電が妨げられる事態を回避でき、放電孔（33）に形成された気泡（100）中において放電を安定して生起させることができる。その結果、放電によって殺菌成分を安定して発生させることができ、浄化水生成装置（1）の性能を安定して発揮させることができる。
【００３９】
上記第６,第７,第８,第９の各発明では、浄化水生成装置（1）に導水構造（70）が設けられる。このため、第２槽（20）へ水を注ぐ作業を行わなくても、水を溜めた第１槽（10）に第２槽（20）を取り付けるだけで、第２貯留空間（25）に水を供給することができる。また、第２槽（20）を第１槽（10）に取り付けた状態では、導水構造（70）によって第１貯留空間（14）の水と第２貯留空間（25）の水を電気的に絶縁できる。従って、この発明によれば、浄化水生成装置（1）を使用するための準備作業を簡素化でき、浄化水生成装置（1）のユーザーの利便性を確保できる。
【００４０】
上記第１０の発明では、切換弁（79）の状態を切り換えることによって、排水通路（38）から排出される浄化水を変更できる。このため、第１貯留空間（14）と第２貯留空間（25）において浄化水の殺菌成分の濃度が異なる場合は、切換弁（79）を切り換えることによって、浄化水生成装置（1）から排出される浄化水の殺菌成分の濃度を変更できる。従って、この発明によれば、浄化水生成装置（1）から取り出される浄化水の殺菌成分の濃度を、浄化水の用途に応じて変更することが可能となり、浄化水生成装置（1）の使い勝手を向上させることが可能となる。
【００４１】
上記第１１の発明の絶縁壁部（30）では、放電孔（33）の形成された取付用部材（83）が本体壁部（80）に対して着脱可能となっている。このため、浄化水生成装置（1）の運転時間がある程度以上に達し、放電孔（33）が拡大して正常に放電が生起しなくなった場合は、取付用部材（83）を交換することによって、浄化水生成装置（1）の機能を回復させることができる。従って、この発明によれば、浄化水生成装置（1）の保守作業に要する工数を削減でき、浄化水生成装置（1）の使い勝手を向上させることができる。
【００４２】
第１２の発明の絶縁壁部（30）では、取付用部材（83）と上記本体壁部（80）の隙間に空気が密封され、この空気によって第１貯留空間（14）の水と第２貯留空間（25）の水が電気的に絶縁される。従って、この発明によれば、第１貯留空間（14）の水と第２貯留空間（25）の水を電気的に絶縁して放電を確実に生起させることが可能となり、浄化水生成装置（1）の信頼性を向上させることができる。
【図面の簡単な説明】
【００４３】
【図１】図１は、実施形態１の浄化水生成装置の分解状態の縦断面図である。
【図２】図２は、実施形態１の浄化水生成装置の組立状態の縦断面図である。
【図３Ａ】図３Ａは、第１槽に第２槽を取り付ける前の状態を示す実施形態１の第１槽および第２槽の縦断面図である。
【図３Ｂ】図３Ｂは、第１槽に第２槽を取り付ける途中の状態を示す実施形態１の第１槽および第２槽の縦断面図である。
【図３Ｃ】図３Ｃは、第１槽に第２槽を取り付けた状態を示す実施形態１の第１槽および第２槽の縦断面図である。
【図３Ｄ】図３Ｄは、第２槽を取り付けた第１槽を台座部に載せた状態を示す実施形態１の浄化水生成装置の縦断面図である。
【図４】図４は、浄化水生成装置の作動中における放電板の要部の拡大断面図である。
【図５】図５は、実施形態２の浄化水生成装置の分解状態の縦断面図である。
【図６】図６は、実施形態２の浄化水生成装置の組立状態の縦断面図である。
【図７】図７は、実施形態２の変形例の浄化水生成装置の組立状態の縦断面図である。
【図８】図８は、実施形態３の浄化水生成装置の分解状態の縦断面図である。
【図９】図９は、実施形態３の浄化水生成装置の組立状態の縦断面図である。
【図１０】図１０は、実施形態４の浄化水生成装置の組立状態の縦断面図である。
【図１１】図１１は、実施形態５の浄化水生成装置の第２槽の縦断面図である。
【図１２】図１２は、実施形態６の浄化水生成装置の第２槽の縦断面図である。
【図１３Ａ】図１３Ａは、第１槽に第２槽を取り付ける前の状態を示す実施形態６の浄化水生成装置の縦断面図である。
【図１３Ｂ】図１３Ｂは、第１槽に第２槽を取り付けた状態を示す実施形態６の浄化水生成装置の縦断面図である。
【図１３Ｃ】図１３Ｃは、第２槽を取り付けた第１槽を台座部に載せた状態を示す実施形態６の浄化水生成装置の縦断面図である。
【図１４】図１４は、実施形態６の浄化水生成装置における第１槽の底部および台座部の上部を示す概略斜視図である。
【図１５】図１５は、実施形態６の変形例の浄化水生成装置を示す図１３Ａに相当する断面図である。
【図１６Ａ】図１６Ａは、第１槽に第２槽を取り付ける前の状態を示す実施形態７の浄化水生成装置の縦断面図である。
【図１６Ｂ】図１６Ｂは、第１槽に第２槽を取り付けた状態を示す実施形態７の浄化水生成装置の縦断面図である。
【図１７】図１７は、第１貯留空間だけから浄化水を取り出す際の状態を示す実施形態７の浄化水生成装置の縦断面図である。
【図１８】図１８は、第２貯留空間だけから浄化水を取り出す際の状態を示す実施形態７の浄化水生成装置の縦断面図である。
【図１９】図１９は、第１貯留空間と第２貯留空間の両方から浄化水を取り出す際の状態を示す実施形態７の浄化水生成装置の縦断面図である。
【図２０】図２０は、実施形態７の変形例の浄化水生成装置を示す図１６Ｂに相当する断面図である。
【図２１】図２１は、実施形態７の変形例の浄化水生成装置を示す図１７に相当する断面図である。
【図２２】図２２は、その他の実施形態の第１変形例の台座部の概略斜視図である。
【図２３Ａ】図２３Ａは、その他の実施形態の第１変形例の台座部の要部の断面図であって、カバー部材が被覆位置にある状態を示す図である。
【図２３Ｂ】図２３Ｂは、その他の実施形態の第１変形例の台座部の要部の断面図であって、カバー部材が露出位置にある状態を示す図である。
【発明を実施するための形態】
【００４４】
本発明の実施形態を図面に基づいて詳細に説明する。なお、以下で説明する実施形態および変形例は、本質的に好ましい例示であって、本発明、その適用物、あるいはその用途の範囲を制限することを意図するものではない。
【００４５】
《実施形態１》
実施形態１について説明する。本実施形態は、ポット型の浄化水生成装置（1）である。
【００４６】
図１及び図２に示すように、本実施形態の浄化水生成装置（1）は、第１槽（10）と、第２槽（20）と、台座部（40）とを備えている。第１槽（10）は、台座部（40）に対して着脱自在となっている。また、第２槽（20）は、第１槽（10）に対して着脱自在となっている。
【００４７】
〈第１槽〉
第１槽（10）は、水槽部材（11）とケース部材（15）とを備えている。水槽部材（11）は、ケース部材（15）に収容されている。水槽部材（11）及びケース部材（15）の材質は、電気絶縁性の樹脂である。
【００４８】
水槽部材（11）は、上端が開口した容器状の部材であって、第１貯留空間（14）を形成する。水槽部材（11）の上端は、第１貯留空間（14）へ水を注入するための注水用開口（10a）である。
【００４９】
水槽部材（11）は、本体筒部（12）と大径部（13）とを備えている。本体筒部（12）は、有底の比較的深い円筒容器状に形成されている。大径部（13）は、本体筒部（12）に連続して形成された部分である。大径部（13）は、本体筒部（12）の上端部から外方へ伸びる環状板部（13a）と、環状板部（13a）の周縁部から上方へ延びる比較的短い円筒壁部（13b）とを備えている。水槽部材（11）には、第１電極（51）が設けられている。金属板である第１電極（51）は、水槽部材（11）の底部の内側面に取り付けられ、第１貯留空間（14）に臨んでいる。
【００５０】
ケース部材（15）は、上面が開口した容器状の部材であって、水槽部材（11）の下方と側方を覆っている。ケース部材（15）には、平坦縁部（16）と上側円筒部（17）とが形成されている。平坦縁部（16）は、ケース部材（15）の上端の開口を囲む平坦なリング状の部分である。上側円筒部（17）は、平坦縁部（16）の内周縁部から下方へ延びる円筒状の部分である。ケース部材（15）の上側円筒部（17）には、水槽部材（11）の大径部（13）の円筒壁部（13b）が接合されている。ケース部材（15）には、取っ手（18）が取り付けられている。また、ケース部材（15）は、底部の中央部に位置決め用凹部（19）が形成されている。
【００５１】
〈第２槽〉
第２槽（20）は、本体部（21）と、蓋部材である上蓋（36）とを備えている。本体部（21）及び上蓋（36）の材質は、電気絶縁性の樹脂である。
【００５２】
本体部（21）は、上面が開口した浅い容器状の部材であって、第２貯留空間（25）を形成する。この本体部（21）は、底壁部（22）と、周壁部（23）と、鍔部（24）とを備えている。底壁部（22）は、やや厚肉の円板状の部分である。底壁部（22）の中央には、底壁部（22）を厚さ方向に貫通する円形孔（22a）が形成されている。周壁部（23）は、底壁部（22）の周縁部から上方へ延びる肉厚の短い円筒状の部分である。周壁部（23）の外径は、第１槽（10）のケース部材（15）の上側円筒部（17）の内径よりも僅かに小さい。鍔部（24）は、周壁部（23）の上端部から外方へ伸びる環状の部分である。本体部（21）では、底壁部（22）と周壁部（23）に囲まれた空間が、第２貯留空間（25）となる。本体部（21）には、第２電極（52）が設けられている。金属板である第２電極（52）は、周壁部（23）の内周面に取り付けられ、第２貯留空間（25）に臨んでいる。
【００５３】
本体部（21）の底壁部（22）には、放電部材（31）が設けられている。放電部材（31）は、放電板（32）と、ホルダーリング（34）とを備えている。本体部（21）の底壁部（22）と放電部材（31）とは、絶縁底部（30）を構成している。この絶縁底部（30）は、第１貯留空間（14）と第２貯留空間（25）を仕切る電気絶縁性の絶縁壁部である。
【００５４】
放電板（32）は、例えばセラミックス等の電気絶縁材料で構成された円板状の部材である。なお、セラミックスは、窒化アルミニウム、窒化ケイ素、ジルコニア又はアルミナである。放電板（32）には、その略中央に微小な放電孔（33）が形成されている。放電孔（33）は、直径が０.１ｍｍ程度の円形の貫通孔であって、放電中の電気抵抗が数ＭΩとなるように設計されている。
【００５５】
ホルダーリング（34）は、例えばシリコンゴム等の電気絶縁材料で構成されたリング状（あるいはドーナツ状）の部材である。ホルダーリング（34）は、放電板（32）の上面と外周縁部を覆うように、放電板（32）に取り付けられる。放電板（32）の上面のうち放電孔（33）の周囲の部分と、放電板（32）の下面の全体は、ホルダーリング（34）に覆われることなく露出している。
【００５６】
放電部材（31）は、本体部（21）の底壁部（22）の円形孔（22a）を下方から覆うように配置されている。放電部材（31）の放電板（32）は、底壁部（22）の円形孔（22a）を横断する。そして、絶縁底部（30）によって仕切られた第１貯留空間（14）と第２貯留空間（25）は、放電孔（33）だけを介して連通する。また、放電板（32）の下面は、本体部（21）の底壁部（22）の下面と実質的に同一平面上に位置している。つまり、本体部（21）の底壁部（22）と放電部材（31）とによって構成される絶縁底部（30）は、その下面が全体に亘って平坦面となっている。
【００５７】
本体部（21）の周壁部（23）には、二つのＯリング（26,27）が取り付けられている。一方のＯリング（26）は、周壁部（23）の外周面の上部に全周に亘って形成された円周溝に嵌め込まれている。また、他方のＯリング（27）は、周壁部（23）の上端面の内周縁に沿って形成された円周溝に嵌め込まれている。
【００５８】
上蓋（36）は、本体部（21）の上面を覆う円板状に形成されている。上蓋（36）は、ヒンジ（35）を介して本体部（21）に取り付けられており、本体部（21）に対して開閉自在となっている。上蓋（36）の中央部に形成された孔には、ベントフィルター（37）が取り付けられている。ベントフィルター（37）は、フィルターケース（37a）とフィルター本体（37b）とを備えている。フィルター本体（37b）は、水蒸気は通過できるが水は通過できない特性を有するシート状の部材であって、第２貯留空間（25）と第２槽（20）の外部空間とを仕切っている。
【００５９】
図２に示すように、第２槽（20）は、第１槽（10）に取り付けられて第１槽（10）の注水用開口（10a）を覆う。第２槽（20）を第１槽（10）に取り付けた状態において、第２槽（20）の本体部（21）は、第１槽（10）のケース部材（15）の上側円筒部（17）の内側に嵌まり込む。この状態において、本体部（21）に設けられたＯリング（26）は、ケース部材（15）の上側円筒部（17）の内周面と接触し、第２槽（20）の本体部（21）と第１槽（10）のケース部材（15）の隙間をシールする。第２槽（20）において、上蓋（36）を閉じると、本体部（21）に設けられたＯリング（27）が、上蓋（36）の下面と接触し、本体部（21）と上蓋（36）の隙間をシールする。
【００６０】
〈台座部〉
台座部（40）は、第１槽（10）を置くための部材であって、扁平な円形の中空容器状に形成されている。台座部（40）の内部には、電源ユニット（45）が収容されている。また、台座部（40）の上面部の中央には、位置決め用凸部（41）が形成されている。
【００６１】
電源ユニット（45）は、後述する導電部材（60）を介して第１電極（51）と第２電極（52）とに電気的に接続される。この電源ユニット（45）は、第１電極（51）と第２電極（52）に高電圧（例えば、６ｋＶ程度の電圧）を印加する交番型の電源である。電源ユニット（45）は、第１電極（51）と第２電極（52）に対して、正負が入れ替わる交番波形の電圧を印加する。電源ユニット（45）が第１電極（51）と第２電極（52）に印加する電圧の交番波形は、正極側と負極側の割合が等しい方形波である。
【００６２】
位置決め用凸部（41）の形状は、第１槽（10）のケース部材（15）に形成された位置決め用凹部（19）に対応した形状となっている。位置決め用凸部（41）は、第１槽（10）の位置決め用凹部（19）に嵌まり込むことによって、台座部（40）と第１槽（10）の相対的な位置を定めるための部分である。位置決め用凹部（19）に位置決め用凸部（41）が嵌まり込むように第１槽（10）を台座部（40）に取り付けると、第１底部接点（63）が第１台側接点（65）と接触して両者が電気的に接続され、第２底部接点（64）が第２台側接点（66）と接触して両者が電気的に接続される。
【００６３】
〈導電部材〉
本実施形態の浄化水生成装置（1）は、第１電極（51）及び第２電極（52）を電源ユニット（45）と電気的に接続するための導電部材（60）を備えている。導電部材（60）は、複数の接点（61〜66）と、複数のリード線（61a,62a,63a,65a,66a）とによって構成される。
【００６４】
導電部材（60）を構成する第１台側接点（65）及び第２台側接点（66）は、台座部（40）に設けられている。第１台側接続部である第１台側接点（65）と第２台側接続部である第２台側接点（66）のそれぞれは、比較的小さな金属板である。第１台側接点（65）及び第２台側接点（66）は、台座部（40）の上面に取り付けられている。また、第１台側接点（65）は、位置決め用凸部（41）を挟んで第２台側接点（66）の反対側に配置されている。第１台側接続部である第１台側接点（65）は、リード線（65a）を介して電源ユニット（45）の第１端子（46）に接続されている。第２台側接続部である第２台側接点（66）は、リード線（66a）を介して電源ユニット（45）の第２端子（47）に接続されている。
【００６５】
導電部材（60）を構成する第１上側接点（61）、第１底部接点（63）、及び第２底部接点（64）は、第１槽（10）のケース部材（15）に設けられている。第１中間接続部である第１上側接点（61）、第１電極側接続部である第１底部接点（63）、及び第２中間接続部である第２底部接点（64）のそれぞれは、比較的小さな金属板である。
【００６６】
第１上側接点（61）は、ケース部材（15）の平坦縁部（16）の上面に取り付けられている。第１底部接点（63）及び第２底部接点（64）は、ケース部材（15）の底面（即ち、底部の下面）に取り付けられている。第１底部接点（63）は、位置決め用凹部（19）を挟んで第２底部接点（64）の反対側に配置されている。また、第１底部接点（63）は、台座部（40）の第１台側接点（65）と向かい合う位置に設けられ、第２底部接点（64）は、台座部（40）の第２台側接点（66）と向かい合う位置に設けられている。第１底部接点（63）は、リード線（63a）を介して第１電極（51）と電気的に接続されている。第２底部接点（64）は、リード線（61a）を介して第１上側接点（61）と電気的に接続されている。
【００６７】
導電部材（60）を構成する第２上側接点（62）は、第２槽（20）の本体部（21）に設けられている。第２電極側接続部である第２上側接点（62）は、比較的小さな金属板である。第２上側接点（62）は、本体部（21）の鍔部（24）の下面に取り付けられている。また、第２上側接点（62）は、第１槽（10）の第１上側接点（61）と向かい合う位置に設けられている。第２上側接点（62）は、リード線（62a）を介して第２電極（52）と電気的に接続されている。
【００６８】
図２に示すように、第１槽（10）を台座部（40）に載せた状態では、第１槽（10）の第１底部接点（63）が台座部（40）の第１台側接点（65）と接触し、両者が電気的に接続される。その結果、第１電極（51）が、第１底部接点（63）と第１台側接点（65）とを介して、電源ユニット（45）の第１端子（46）と電気的に接続される。
【００６９】
また、第１槽（10）を台座部（40）に載せた状態では、第１槽（10）の第２底部接点（64）が台座部（40）の第２台側接点（66）と接触し、両者が電気的に接続される。更に、第２槽（20）を第１槽（10）に取り付けた状態では、第２槽（20）の第２上側接点（62）が第１槽（10）の第１上側接点（61）と接触し、両者が電気的に接続される。その結果、第２電極（52）が、第２底部接点（64）と第２台側接点（66）と第２上側接点（62）と第１上側接点（61）とを介して、電源ユニット（45）の第２端子（47）と電気的に接続される。
【００７０】
〈導水構造〉
本実施形態の浄化水生成装置（1）は、導水構造（70）を備えている。導水構造（70）は、第２槽（20）に形成された貫通通路（72）と、第１槽（10）に設けられたシールプラグ（71）とによって構成されている。
【００７１】
貫通通路（72）は、第２槽（20）の本体部（21）に形成されている。具体的に、貫通通路（72）は、本体部（21）の底壁部（22）と周壁部（23）の両方に亘って形成されている。貫通通路（72）は、一端が底壁部（22）の下面に開口し、他端が周壁部（23）の内周面の下端付近に開口している。底壁部（22）の下面に開口する貫通通路（72）の一端は、貫通通路（72）の入口端（72a）である。
【００７２】
シールプラグ（71）は、ゴム製の栓状の部材であって、第１槽（10）の水槽部材（11）に設けられている。具体的に、シールプラグ（71）は、水槽部材（11）の大径部（13）の環状板部（13a）の上面に取り付けられている。また、シールプラグ（71）は、第２槽（20）の下面における貫通通路（72）の入口端（72a）と向かい合う位置に設けられている。第２槽（20）を第１槽（10）に取り付けた状態において、シールプラグ（71）は、貫通通路（72）に嵌まり込んでその入口端（72a）を塞ぐ。シールプラグ（71）の材質は、電気絶縁性を有するゴムである。そして、シールプラグ（71）は、貫通通路（72）の入口端（72a）を塞ぐ電気絶縁性のシール部材であって、第１貯留空間（14）の水と第２貯留空間（25）の水を電気的に絶縁する。
【００７３】
−浄化水生成装置の使用手順−
本実施形態の浄化水生成装置（1）の使用手順について、図３Ａ〜図３Ｄを参照しながら説明する。
【００７４】
ユーザーは、台座部（40）から取り外した状態の第１槽（10）に水を入れる。その際、ユーザーは、第１槽（10）内の水位が第１槽（10）の上端付近の基準位置に達するまで、第１槽（10）に水を注ぎ込む（図３Ａを参照）。
【００７５】
次に、ユーザーは、水を溜めた第１槽（10）に第２槽（20）を取り付ける。その際、ユーザーは、第１槽（10）の上端の開口部に嵌め込んだ第２槽（20）を、下方へ押し下げる。ユーザーが第２槽（20）を下方へ押し下げると、第１槽（10）に貯留されていた水の一部が、第２槽（20）の貫通通路（72）を通って第２貯留空間（25）へ流入する（図３Ｂを参照）。
【００７６】
ユーザーが第２槽（20）を第１槽（10）に取り付ける過程では、第１槽（10）内の水面よりも上方に存在していた空気が、第２槽（20）によって第１槽（10）の外部へ押し出される。ここで、第２槽（20）の底壁部（22）と放電部材（31）とによって構成される絶縁底部（30）は、その下面が平坦面となっている。このため、絶縁底部（30）の下面側に空気が残留しにくく、第１槽（10）内の空気は、そのほぼ全量が第１槽（10）の外部へ排出される。
【００７７】
第２槽（20）の鍔部（24）の下面が第１槽（10）のケース部材（15）の平坦縁部（16）に当たると、底壁部（22）の下面における貫通通路（72）の入口端（72a）にシールプラグ（71）が嵌まり込み、第１槽（10）への第２槽（20）の取り付けが完了する（図３Ｃを参照）。この状態では、第１貯留空間（14）と第２貯留空間（25）が第２槽（20）の絶縁底部（30）によって仕切られた状態となり、第１貯留空間（14）の水と第２貯留空間（25）の水がシールプラグ（71）によって電気的に絶縁される。また、第１槽（10）の第１上側接点（61）が第２槽（20）の第２上側接点（62）と接触する。また、第２電極（52）が、第２貯留空間（25）の水に浸かった状態となる。
【００７８】
第１槽（10）への第２槽（20）の取り付けが完了すると、ユーザーは、上蓋（36）を閉じる。その後に、第２槽（20）を取り付けた第１槽（10）をユーザーが台座部（40）に載せると、第１槽（10）の第１底部接点（63）が台座部（40）の第１台側接点（65）と接触し、第１槽（10）の第２底部接点（64）が台座部（40）の第２台側接点（66）と接触する（図３Ｄを参照）。その結果、第１電極（51）が電源ユニット（45）の第１端子（46）と導通し、第２電極（52）が電源ユニット（45）の第２端子（47）と導通し、電源ユニット（45）が第１電極（51）と第２電極（52）の間に電圧を印加する。
【００７９】
詳しくは後述するが、電源ユニット（45）が第１電極（51）と第２電極（52）の間に電圧を印加すると、放電孔（33）に形成された気泡（100）中で放電が生起し、第１貯留空間（14）及び第２貯留空間（25）の水の中で殺菌成分が発生する。その結果、第１貯留空間（14）及び第２貯留空間（25）の水は、殺菌成分を含んだ浄化水となる。
【００８０】
浄化水の生成が完了すると、ユーザーは、第２槽（20）が取り付けられた状態の第１槽（10）を台座部（40）から取り外す。続いて、ユーザーは、上蓋（36）を開いた後に、第２槽（20）を持ち上げて第１槽（10）から取り外す。第２槽（20）を持ち上げると、シールプラグ（71）が貫通通路（72）から抜け、第２貯留空間（25）の浄化水が第１槽（10）へ流入する。つまり、第１貯留空間（14）の浄化水は、第１貯留空間（14）の浄化水と混ざり合う。そして、ユーザーは、第２槽（20）を取り外した状態の第１槽（10）の取っ手（18）を持ち、第１槽（10）を傾けて浄化水を第１槽（10）から取り出し、浄化水を利用して例えば食器やまな板などの洗浄を行う。
【００８１】
−浄化水生成装置の運転動作−
浄化水生成装置（1）が浄化水を生成する動作について説明する。
【００８２】
図３Ｄに示す状態において、電源ユニット（45）が第１電極（51）と第２電極（52）に電圧を印加すると、放電部材（31）の放電孔（33）において電流密度が上昇し、発生したジュール熱によって水が気化する。その結果、放電孔（33）において気泡（100）が形成される。
【００８３】
図４に示すように、気泡（100）は、放電孔（33）の全体を占める。即ち、放電孔（33）は、その全域が気泡（100）に覆われた状態となる。この状態において、気泡（100）は、第１電極（51）と第２電極（52）との間における水を介した導電を阻止する抵抗として機能する。このため、第１貯留空間（14）の水は第１電極（51）と実質的に同電位になり、第２貯留空間（25）の水は第２電極（52）と実質的に同電位になる。その結果、気泡（100）と水との界面が電極となり、気泡（100）内で絶縁破壊が起こって放電（スパーク放電）が生起する。
【００８４】
気泡（100）内で放電が生起すると、第１貯留空間（14）及び第２貯留空間（25）に溜まった水の中では、殺菌成分（例えば、水酸ラジカル等の活性種、過酸化水素）が発生する。そして、第１貯留空間（14）及び第２貯留空間（25）に溜まった水が、殺菌成分を含んだ浄化水となる。
【００８５】
ここで、本実施形態では、電源ユニット（45）が交番波形の電圧を第１電極（51）と第２電極（52）に印加するため、各電極（51,52）に印加される電圧の正負が所定時間おきに交互に入れ替わる。その結果、放電孔（33）においてはグロー放電を生起させることなくスパーク放電を生起させることができる。
【００８６】
つまり、電極（51,52）に直流電源が接続されている場合、放電孔（33）における放電の形態は、電流の増加に伴ってスパーク放電からグロー放電に移行する。これに対し、本実施形態では、放電孔（33）における放電の形態がスパーク放電からグロー放電に移行する前に電極（51,52）に印加される電圧の正負が入れ替わるので、放電孔（33）ではグロー放電が発生せずにスパーク放電が発生し続ける。このため、放電孔（33）のグロー放電による熱的破壊が抑制され、放電孔（33）の孔径の拡大を抑制することが可能になる。
【００８７】
電源ユニット（45）が第１電極（51）と第２電極（52）への電圧の印加を開始してから所定時間が経過すると、浄化水生成装置（1）は、浄化水の生成が完了したと判断し、電源ユニット（45）への通電を停止する。それと共に、浄化水生成装置（1）は、浄化水の生成が完了したことを、アラーム音を発生させたり、表示ランプを点灯させる等の手段によって、ユーザーに知らせる。
【００８８】
なお、放電孔（33）において放電が生起している状態では、第２貯留空間（25）の水が蒸発して水蒸気となる場合がある。この場合、第２貯留空間（25）において発生した水蒸気は、ベントフィルタを通って第２貯留空間（25）の外部へ排出される。そのため、第２貯留空間（25）の圧力は、概ね大気圧に保たれる。
【００８９】
−実施形態１の効果−
本実施形態の浄化水生成装置（1）では、第２槽（20）の底部である絶縁底部（30）が、第１貯留空間（14）と第２貯留空間（25）を仕切っている。このため、第１槽（10）に第２槽（20）を取り付けた状態では、第１貯留空間（14）と第２貯留空間（25）を絶縁底部（30）で仕切って放電孔（33）の気泡（100）中で放電を生起させることができる一方、第１槽（10）から第２槽（20）を取り外した状態では、上面が開口した第１槽（10）だけを取り扱うことによって第１貯留空間（14）から浄化水を取り出すことが可能となる。従って、本実施形態によれば、浄化水生成装置（1）の使い勝手を向上させてユーザーの利便性を高めることが可能となる。
【００９０】
また、本実施形態の浄化水生成装置（1）では、第１槽（10）に第２槽（20）を取り付けることによって、第２上側接点（62）が第１上側接点（61）と接触する。更に、この浄化水生成装置（1）では、第１槽（10）を台座部（40）に載せることによって、第１底部接点（63）が第１台側接点（65）と接触し、第２底部接点（64）が第２台側接点（66）と接触する。従って、本実施形態の浄化水生成装置（1）では、第２槽（20）を取り付けた第１槽（10）を台座部（40）に載せるだけで、第１電極（51）と第２電極（52）を電源ユニット（45）に電気的に接続できる。このため、本実施形態によれば、第１槽（10）に第２槽（20）を取り付ける作業および第１槽（10）を台座部（40）に載せる作業と、第１電極（51）及び第２電極（52）を電源ユニット（45）に接続する作業とを別々に行う場合に比べ、浄化水生成装置（1）を使用するための準備作業を簡素化でき、浄化水生成装置（1）のユーザーの利便性を確保できる。
【００９１】
また、本実施形態の浄化水生成装置（1）では、第１槽（10）とは別体の台座部（40）に電源ユニット（45）が収容される。このため、電源ユニット（45）が第１槽（10）に収容される場合に比べ、第１槽（10）を軽量化でき、第１槽（10）の取り扱いを一層容易にすることができる。
【００９２】
また、本実施形態の浄化水生成装置（1）では、第２槽（20）の絶縁底部（30）の下面が平坦面となっているため、第１槽（10）に第２槽（20）を取り付ける際に第１貯留空間（14）に空気が残存しにくくなる。また、仮に第１貯留空間（14）に空気が残存しても、第１貯留空間（14）に残存する空気が放電孔（33）の周辺に集まりにくくなる。従って、本実施形態によれば、第１貯留空間（14）に残存する空気によって放電が妨げられる事態を回避でき、放電孔（33）に形成された気泡（100）中において放電を安定して生起させることができる。その結果、放電によって殺菌成分を安定して発生させることができ、浄化水生成装置（1）の性能を安定して発揮させることができる。
【００９３】
また、本実施形態の浄化水生成装置（1）には、導水構造（70）が設けられている。このため、第２槽（20）へ水を注ぐ作業を行わなくても、水を溜めた第１槽（10）に第２槽（20）を取り付けるだけで、第２貯留空間（25）に水を供給することができる。また、第２槽（20）を第１槽（10）に取り付けた状態では、導水構造（70）によって第１貯留空間（14）の水と第２貯留空間（25）の水を電気的に絶縁できる。従って、本実施形態によれば、浄化水生成装置（1）を使用するための準備作業を簡素化でき、浄化水生成装置（1）のユーザーの利便性を確保できる。
【００９４】
《実施形態２》
実施形態２について説明する。本実施形態の浄化水生成装置（1）は、実施形態１の浄化水生成装置（1）において、導水構造（70）を変更したものである。ここでは、本実施形態の浄化水生成装置（1）について、実施形態１の浄化水生成装置（1）と異なる点を説明する。
【００９５】
図５に示すように、本実施形態の浄化水生成装置（1）では、水通路を形成する導水管（73）によって導水構造（70）が構成されている。また、本実施形態の浄化水生成装置（1）では、第１槽（10）の水槽部材（11）の大径部（13）が省略されている。つまり、本実施形態の水槽部材（11）は、その直径が全長に亘って概ね一定の円筒状に形成されている。
【００９６】
導水管（73）は、第２槽（20）の本体部（21）に埋設されている。導水管（73）は、概ねＬ字状の管であって、上下方向に延びる縦管部（74）と、縦管部（74）の上端から横方向へ延びる横管部（75）とを備えている。導水管（73）の縦管部（74）は、その下端部が本体部（21）の底壁部（22）の下面から下方に突出している。導水管（73）の横管部（75）は、その大部分が本体部（21）の周壁部（23）の内周面から概ね水平方向に突出している。導水管（73）は、第２槽（20）を第１槽（10）に取り付けた状態で、横管部（75）の全体が第２貯留空間（25）の水面よりも上方に位置するように、第２槽（20）に配置されている。
【００９７】
ユーザーが第１槽（10）の上端の開口部に嵌め込んだ第２槽（20）を下方へ押し下げると、第１槽（10）に貯留された水が導水管（73）を通って第２貯留空間（25）へ流入する。図６に示すように、第２槽（20）の鍔部（24）の下面が第１槽（10）のケース部材（15）の平坦縁部（16）に当たり、第１槽（10）への第２槽（20）の取り付けが完了した状態では、導水管（73）の横管部（75）の全体が、第２貯留空間（25）の水面よりも上方に位置している。また、この状態において、管部材の横管部（75）には水が残存していない。つまり、横管部（75）には、空気が存在している。
【００９８】
このように、第１槽（10）に第２槽（20）を取り付けた状態では、第１貯留空間（14）の水と第２貯留空間（25）の水との間に空気が介在している。このため、第１貯留空間（14）の水と第２貯留空間（25）の水とが電気的に絶縁される。
【００９９】
−実施形態２の変形例−
図７に示すように、本実施形態の浄化水生成装置（1）では、管部材の横管部（75）の突端部が上向きに屈曲していてもよい。この場合も、第１槽（10）に第２槽（20）を取り付けた状態では、第１貯留空間（14）の水と第２貯留空間（25）の水との間に空気が介在し、第１貯留空間（14）の水と第２貯留空間（25）の水とが電気的に絶縁される。
【０１００】
《実施形態３》
実施形態３について説明する。本実施形態の浄化水生成装置（1）は、実施形態１の浄化水生成装置（1）において、導電部材（60）を変更したものである。ここでは、本実施形態の浄化水生成装置（1）について、実施形態１の浄化水生成装置（1）と異なる点を説明する。
【０１０１】
図８及び図９に示すように、本実施形態の導電部材（60）は、第１底部接点（63）、第２底部接点（64）、第１台側接点（65）、及び第２台側接点（66）の形状が、実施形態１の導電部材（60）と異なっている。また、本実施形態の浄化水生成装置（1）では、第１槽（10）のケース部材（15）の位置決め用凹部（19）と、台座部（40）の位置決め用凸部（41）とが省略されている。
【０１０２】
本実施形態において、第１底部接点（63）と第２底部接点（64）のそれぞれは、比較的短いピン状に形成されている。第１底部接点（63）と第２底部接点（64）のそれぞれは、第１槽（10）のケース部材（15）の底面から下方へ突出するように設けられている。一方、第１台側接点（65）と第２台側接点（66）のそれぞれは、第１底部接点（63）または第２底部接点（64）を挿入できる筒状に形成されている。第１台側接点（65）と第２台側接点（66）のそれぞれは、台座部（40）の上面に取り付けられている。
【０１０３】
図９に示すように、第１槽（10）を台座部（40）に載せると、第１底部接点（63）が第１台側接点（65）に嵌まり込んで両者が電気的に接続されると同時に、第２底部接点（64）が第２台側接点（66）に嵌まり込んで両者が電気的に接続される。本実施形態の浄化水生成装置（1）では、第１底部接点（63）が第１台側接点（65）に嵌まり込み、第２底部接点（64）が第２台側接点（66）に嵌まり込むことによって、第１槽（10）と台座部（40）の相対的な位置決めが行われる。
【０１０４】
《実施形態４》
実施形態４について説明する。本実施形態の浄化水生成装置（1）は、実施形態１の浄化水生成装置（1）において、第２槽（20）を変更したものである。ここでは、本実施形態の浄化水生成装置（1）について、実施形態１の浄化水生成装置（1）と異なる点を説明する。
【０１０５】
図１０に示すように、本実施形態の第２槽（20）は、本体部（21）の底壁部（22）に膨出部（30a）が形成されている。膨出部（30a）は、底壁部（22）の下面から下方へ膨出した円錐台状の部分であって、底壁部（22）の中央部に配置されている。底壁部（22）の円形孔（22a）は、底壁部（22）を厚さ方向に貫通し、底壁部（22）の下面に開口している。放電部材（31）は、底壁部（22）の円形孔（22a）を下方から覆うように、膨出部（30a）に設けられている。
【０１０６】
−実施形態４の効果−
第１槽（10）に第２槽（20）を取り付ける際には、第１貯留空間（14）に空気が残存する場合がある。この場合、第１貯留空間（14）に残存する空気は、膨出部（30a）を囲む領域（即ち、膨出部（30a）の下面よりも上方の領域）に集まる。つまり、仮に第１貯留空間（14）に空気が残存しても、第１貯留空間（14）に残存する空気が放電孔（33）の周辺（即ち、膨出部（30a）の下面付近）に集まりにくい。
【０１０７】
従って、本実施形態によれば、第１貯留空間（14）に残存する空気によって放電が妨げられる事態を回避でき、放電孔（33）に形成された気泡（100）中において放電を安定して生起させることができる。その結果、放電によって殺菌成分を安定して発生させることができ、浄化水生成装置（1）の性能を安定して発揮させることができる。
【０１０８】
《実施形態５》
実施形態５について説明する。本実施形態の浄化水生成装置（1）は、実施形態４の浄化水生成装置（1）において、第２槽（20）を変更したものである。ここでは、本実施形態の浄化水生成装置（1）について、実施形態４の浄化水生成装置（1）と異なる点を説明する。
【０１０９】
図１１に示すように、本実施形態の第２槽（20）は、底壁部（22）が本体壁部（80）と取付用部材（83）とを備えている。本体壁部（80）は、やや厚肉の円板状の部分であって、第２槽（20）の底部に配置されている。本体壁部（80）の中央には、本体壁部（80）を厚さ方向に貫通する取付孔（81）が形成されている。取付孔（81）は、膨出部（30a）の下面に開口している。本体壁部（80）には、取付孔（81）の壁面から内側へ突出する環状凸部（82）が形成されている。また、取付孔（81）の壁面の上部には、雌ねじが形成されている。
【０１１０】
取付用部材（83）は、概ね円筒状の部材である。本実施形態の絶縁底部（30）では、この取付用部材（83）によって、円形孔（22a）が形成される。取付用部材（83）は、中央筒部（84）と、先端小径部（85）と、基端鍔部（86）とを備える。中央筒部（84）は、円筒状に形成された部分である。先端小径部（85）は、中央筒部（84）の先端部（図１１における下端部）に連続して形成された環状の部分である。先端小径部（85）の外径は、中央筒部（84）の外径よりも小さい。基端鍔部（86）は、中央筒部（84）の基端部（図１１における上端部）に連続して形成された鍔状の部分である。基端鍔部（86）の外径は、中央筒部（84）の外径よりも大きい。
【０１１１】
取付用部材（83）には、放電孔（33）が形成された放電板（32）が設けられている。この放電板（32）は、取付用部材（83）によって形成された円形孔（22a）の下端部を横断するように、先端小径部（85）に設けられる。
【０１１２】
取付用部材（83）には、第１Ｏリング（87）と、第２Ｏリング（88）とが取り付けられている。第１Ｏリング（87）は、中央筒部（84）の下部に、中央筒部（84）の外周面と接するように配置される。第２Ｏリング（88）は、中央筒部（84）の下端面に、先端小径部（85）を囲うように配置される。また、取付用部材（83）は、中央筒部（84）の上部に雄ねじが形成されている。取付用部材（83）は、この雄ねじが本体壁部（80）の雌ねじと噛み合うことによって、本体壁部（80）に固定される。
【０１１３】
取付用部材（83）を本体壁部（80）に取り付けると、第１Ｏリング（87）が取付孔（81）の壁面に密着すると共に、第２Ｏリング（88）が環状凸部（82）の上面に密着する。その結果、取付用部材（83）を本体壁部（80）の隙間では、第１Ｏリング（87）と第２Ｏリング（88）の間の部分に空気が密封される。つまり、取付用部材（83）を本体壁部（80）の隙間のうち第１Ｏリング（87）と第２Ｏリング（88）の間の部分が、空気溜まり（89）となる。
【０１１４】
−実施形態５の効果−
放電孔（33）において放電が生起すると、放電によって生じた熱などによって放電板（32）が損耗し、放電孔（33）が僅かずつ拡大するおそれがある。放電孔（33）の大きさが適正値を超えると、放電孔（33）に気泡（100）を形成できなくなり、放電孔（33）において放電を生起させることができなくなる。
【０１１５】
一方、本実施形態の浄化水生成装置（1）では、本体壁部（80）に対して着脱自在な取付用部材（83）に、放電孔（33）が形成された放電板（32）を設けている。このため、放電孔（33）の大きさが適正値を超えた場合は、放電板（32）を取付用部材（83）と共に交換すれば、放電孔（33）において再び放電を生起させることが可能となり、浄化水生成装置（1）の機能が回復する。従って、本実施形態によれば、浄化水生成装置（1）の保守作業に要する工数を削減でき、浄化水生成装置（1）の使い勝手を向上させることができる。
【０１１６】
また、本実施形態の第２槽（20）の底壁部（22）では、取付用部材（83）と本体壁部（80）の隙間のうち第１Ｏリング（87）と第２Ｏリング（88）の間の部分に空気が密封される。そして、この第１Ｏリング（87）と第２Ｏリング（88）の間に密封された空気（即ち、空気溜まり（89）の空気）によって、底壁部（22）によって仕切られた第１貯留空間（14）の水と第２貯留空間（25）の水が、確実に電気的に絶縁される。従って、本実施形態によれば、第１貯留空間（14）の水と第２貯留空間（25）の水を電気的に絶縁して放電を確実に生起させることが可能となり、浄化水生成装置（1）の信頼性を向上させることができる。
【０１１７】
《実施形態６》
実施形態６について説明する。ここでは、本実施形態の浄化水生成装置（1）について、実施形態５の浄化水生成装置（1）と異なる点を説明する。
【０１１８】
〈導水構造〉
図１２及び図１３Ａに示すように、本実施形態の浄化水生成装置（1）は、導水構造（70）が実施形態５の浄化水生成装置（1）と相違する。本実施形態の導水構造（70）は、第２槽（20）に形成された貫通通路（72）と、第１槽（10）に設けられたシールプラグ（71）とに加えて、給気機構（90）を備えている。
【０１１９】
給気機構（90）は、ピストン部材（91）と、第２槽（20）に形成されたシリンダ穴（93）および給気通路（94）とによって構成される。シリンダ穴（93）および給気通路（94）は、第２槽（20）の周壁部（23）に形成されている。シリンダ穴（93）は、周壁部（23）の上端面に開口する円柱状の窪みである。給気通路（94）は、シリンダ穴（93）と貫通通路（72）を連通させるための細い通路である。給気通路（94）の一端は、シリンダ穴（93）の底面に開口している。
【０１２０】
ピストン部材（91）は、短い円柱状の部材である。ピストン部材（91）は、シリンダ穴（93）に嵌め込まれ、シリンダ穴（93）の軸方向へ往復動自在となっている。また、ピストン部材（91）には、ピストン部材（91）の外周面とシリンダ穴（93）の壁面との隙間をシールするためのＯリング（92）が取り付けられている。
【０１２１】
なお、本実施形態の第２槽（20）は、底壁部（22）の下面にＯリング（76）が取り付けられている。このＯリング（76）は、底壁部（22）の下面における貫通通路（72）の入口端（72a）の周囲を囲むように配置される。第２槽（20）を第１槽（10）に取り付けた状態において、Ｏリング（76）は、第１槽（10）の大径部（13）の環状板部（13a）の上面と密着する。このＯリング（76）は、貫通通路（72）およびシールプラグ（71）と共に、導水構造（70）を構成する。
【０１２２】
〈第１槽、台座部〉
本実施形態の第１槽（10）は、位置決め用凹部（19）の形状と、第１底部接点（63）及び第２底部接点（64）の配置が、実施形態５の第１槽（10）と相違する。また、本実施形態の台座部（40）は、位置決め用凸部（41）の形状と、第１台側接点（65）及び第２台側接点（66）の配置が、実施形態５の台座部（40）と相違する。
【０１２３】
図１４に示すように、台座部（40）の位置決め用凸部（41）には、平面視で概ね長方形状の窪み部（41a）が形成されている。窪み部（41a）の左右の壁面は、その一方（図１３Ａにおける左側の壁面）に第１台側接点（65）が設けられ、他方（図１３Ａにおける右側の壁面）に第２台側接点（66）が設けられている。
【０１２４】
図１４に示すように、第１槽（10）の位置決め用凹部（19）には、位置決め用凸部（41）の窪み部（41a）に対応した形状の突出部（19a）が形成されている。位置決め用凹部（19）の突出部（19a）は、位置決め用凸部（41）の窪み部（41a）に嵌り込むことができる形状である。突出部（19a）の左右の壁面は、その一方（図１３Ａにおける左側の壁面）に第１底部接点（63）が設けられ、他方（図１３Ａにおける右側の壁面）に第２底部接点（64）が設けられている。
【０１２５】
−浄化水生成装置の使用手順−
本実施形態の浄化水生成装置（1）の使用手順について、図１３Ａ〜図１３Ｃを参照しながら説明する。
【０１２６】
ユーザーは、台座部（40）から取り外した状態の第１槽（10）に水を入れる。その際、ユーザーは、第１槽（10）内の水位が第１槽（10）の上端付近の基準位置に達するまで、第１槽（10）に水を注ぎ込む（図１３Ａを参照）。
【０１２７】
次に、ユーザーは、水を溜めた第１槽（10）に第２槽（20）を取り付ける。その際、ユーザーは、第１槽（10）の上端の開口部に嵌め込んだ第２槽（20）を、下方へ押し下げる。ユーザーが第２槽（20）を下方へ押し下げると、第１槽（10）に貯留されていた水の一部が、第２槽（20）の貫通通路（72）を通って第２貯留空間（25）へ流入する（図１３Ｂを参照）。また、その際には、給気通路（94）にも水が浸入する。
【０１２８】
次に、ユーザーが上蓋（36）を閉じると、上蓋（36）によって給気機構（90）のピストン部材（91）が下方へ押し下げられる（図１３Ｃを参照）。ピストン部材（91）が下方へ押し下げられると、シリンダ穴（93）の空気が給気通路（94）を通って貫通通路（72）へ送り込まれ、貫通通路（72）の水が空気によって第２貯留空間（25）へ押し出される。上蓋（36）を閉じた状態では、ピストン部材（91）がシリンダ穴（93）へ押し込まれた状態に保持され、貫通通路（72）に空気が密封された状態となる。そして、貫通通路（72）に密封された空気によって、第１貯留空間（14）の水と第２貯留空間（25）の水が電気的に絶縁される。
【０１２９】
その後、第２槽（20）を取り付けた第１槽（10）をユーザーが台座部（40）に載せると、実施形態１について述べた通り、放電孔（33）に形成された気泡（100）中で放電が生起し、第１貯留空間（14）及び第２貯留空間（25）の水は、殺菌成分を含んだ浄化水となる。浄化水の生成が完了すると、ユーザーは、第２槽（20）が取り付けられた状態の第１槽（10）を台座部（40）から取り外し、第１貯留空間（14）及び第２貯留空間（25）から浄化水を取り出す。
【０１３０】
上述した浄化水生成装置（1）の使用手順において、ユーザーは、上蓋（36）が開いた状態の第２槽（20）を第１槽（10）に取り付け、第１槽（10）への第２槽（20）の取り付けが完了してから上蓋（36）を閉じ、上蓋（36）によってピストン部材（91）を下方へ押し下げる。
【０１３１】
これに対し、ユーザーは、第１槽（10）への第２槽（20）の取り付けとピストン部材（91）の押し下げとを同時に行ってもよい。この場合、ユーザーは、先ず、第１槽（10）に第２槽（20）を載せる。この状態において、第２槽（20）は、底壁部（22）の下面が第１槽（10）の水槽部材（11）から離れている。ユーザーは、この状態で第２槽（20）の上蓋（36）を閉じ、上蓋（36）を下方へ押し下げる。その結果、第２槽（20）が下方へ押し下げられて第１槽（10）の上端の開口部に入り込むと同時に、ピストン部材（91）が上蓋（36）に押されて下方へ移動する。
【０１３２】
−実施形態６の変形例−
図１５に示すように、本実施形態の浄化水生成装置（1）では、給気機構（90）のピストン部材（91）が、上蓋（36）に取り付けられていてもよい。本変形例において、ピストン部材（91）は、上蓋（36）を閉じる過程で第２槽（20）のシリンダ穴（93）に入り込み、ユーザーが上蓋（36）を押し下げることによって下方へと移動する。なお、本変形例のピストン部材（91）は、上蓋（36）と一体に形成されていてもよい。
【０１３３】
《実施形態７》
実施形態７について説明する。ここでは、本実施形態の浄化水生成装置（1）について、実施形態６の浄化水生成装置（1）と異なる点を説明する。
【０１３４】
図１６Ａに示すように、本実施形態の浄化水生成装置（1）は、第２槽（20）に設けられた導水構造（70）の構成が、実施形態６の浄化水生成装置（1）と相違する。後述するように、本実施形態の導水構造（70）は、第１通路（77）と、第２通路（78）と、切換弁（79）とによって構成されている。
【０１３５】
また、本実施形態の浄化水生成装置（1）では、第１槽（10）の水槽部材（11）の大径部（13）が省略されている。つまり、本実施形態の水槽部材（11）は、その直径が全長に亘って概ね一定の円筒状に形成されている。
【０１３６】
第１通路（77）及び第２通路（78）は、第２槽（20）の本体部（21）に形成されている。第１通路（77）は、底壁部（22）から周壁部（23）に亘って上下に延びる通路である。この第１通路（77）は、底壁部（22）の底面に開口し、第１貯留空間（14）と連通可能である。第２通路（78）は、周壁部（23）の上端付近に形成され、第１通路（77）の上端部から横方向へ延びている。この第２通路（78）は、周壁部（23）の内周面に開口し、第２貯留空間（25）と連通する。
【０１３７】
周壁部（23）の内周面における第２通路（78）の開口部は、第２槽（20）を第１槽（10）に取り付けた状態で、第２貯留空間（25）の水面よりも上方に位置する。本実施形態の第２槽（20）では、第１通路（77）と第２通路（78）によって水通路が構成される。
【０１３８】
また、本実施形態の第２槽（20）の上蓋（36）には、排水通路（38）が形成されると共に、開閉カバー（39）が設けられている。排水通路（38）は、上蓋（36）を厚さ方向に貫通する通路であって、第２槽（20）の第１通路（77）の上方に形成されている。開閉カバー（39）は、上蓋（36）の上面における排水通路（38）の開口部を覆うように設けられている。開閉カバー（39）は、矩形板状の部材であって、上蓋（36）の中央寄りの辺を回転中心軸として回動自在となっている。
【０１３９】
切換弁（79）は、第２槽（20）の本体部（21）に設けられている。切換弁（79）は、Ｔ字状の通路が形成された回転自在の弁体によって構成されている。そして、切換弁（79）は、排水通路（38）が第１通路（77）に連通して第２通路（78）から遮断される第１状態と、排水通路（38）が第２通路（78）に連通して第１通路（77）から遮断される第２状態と、排水通路（38）が第１通路（77）と第２通路（78）の両方に連通する第３状態とに切り換わるように構成されている。
【０１４０】
本実施形態の第２槽（20）には、空気導入通路が形成されている。この空気導入通路は、浄化水生成装置（1）から浄化水を取り出す際に、第１貯留空間（14）及び第２貯留空間（25）へ空気を導入するための通路である。空気導入通路は、本体部（21）に形成された通気用凹部（95）及び本体側通気孔（96）と、上蓋（36）に形成された蓋側通気孔（97）とによって構成される。
【０１４１】
通気用凹部（95）は、本体部（21）の周壁部（23）及び鍔部（24）の上面に形成された凹部であって、周壁部（23）の内周面に開口している。本体側通気孔（96）は、本体部（21）の周壁部（23）と底壁部（22）に亘って形成された比較的小径の貫通孔である。この本体側通気孔（96）は、一端が通気用凹部（95）の底面に開口し、他端が底壁部（22）の下面に開口している。蓋側通気孔（97）は、上蓋（36）を厚さ方向へ貫通する比較的小径の孔であって、上蓋（36）に複数形成されている。各蓋側通気孔（97）は、上蓋（36）を閉じた状態で通気用凹部（95）と向かい合う位置に形成されている。
【０１４２】
−浄化水生成装置の使用手順−
本実施形態の浄化水生成装置（1）の使用手順について、図１６Ａおよび図１６Ｂと、図１７〜図１９とを参照しながら説明する。なお、図１６Ａ, 図１６Ｂ, 図１７〜図１９では、台座部（40）の図示を省略する。
【０１４３】
ユーザーは、台座部（40）から取り外した状態の第１槽（10）に水を入れる。その際、ユーザーは、第１槽（10）内の水位が第１槽（10）の上端付近の基準位置に達するまで、第１槽（10）に水を注ぎ込む（図１６Ａを参照）。
【０１４４】
次に、ユーザーは、水を溜めた第１槽（10）に第２槽（20）を取り付ける。このとき、切換弁は、第３状態に設定される。ユーザーは、第１槽（10）の上端の開口部に嵌め込んだ第２槽（20）を、下方へ押し下げる。ユーザーが第２槽（20）を下方へ押し下げると、第１槽（10）に貯留されていた水の一部が、第２槽（20）の第１通路（77）と第２通路（78）を順に通って第２貯留空間（25）へ流入する（図１６Ｂを参照）。
【０１４５】
図１６Ｂに示すように、第１槽（10）への第２槽（20）の取り付けが完了した状態では、第２通路（78）の全体が、第２貯留空間（25）の水面よりも上方に位置している。また、この状態において、第２通路（78）には水が残存していない。つまり、第２通路（78）には、空気が存在している。
【０１４６】
このように、第１槽（10）に第２槽（20）を取り付けた状態では、第１貯留空間（14）の水と第２貯留空間（25）の水との間に空気が介在している。このため、第１貯留空間（14）の水と第２貯留空間（25）の水とが電気的に絶縁される。
【０１４７】
その後、第２槽（20）を取り付けた第１槽（10）をユーザーが台座部（40）に載せると、実施形態１について述べた通り、放電孔（33）に形成された気泡（100）中で放電が生起し、第１貯留空間（14）及び第２貯留空間（25）の水は、殺菌成分を含んだ浄化水となる。浄化水の生成が完了すると、ユーザーは、第２槽（20）が取り付けられた状態の第１槽（10）を台座部（40）から取り外し、第１貯留空間（14）及び第２貯留空間（25）から浄化水を取り出す。
【０１４８】
ここで、本実施形態の浄化水生成装置（1）では、第１貯留空間（14）に貯留された水の量が、第２貯留空間（25）に貯留された水の量よりも多い。一方、放電によって第１貯留空間（14）と第２貯留空間（25）のそれぞれにおいて生成する殺菌成分の量は、実質的に等しい。このため、第１貯留空間（14）の浄化水の殺菌成分の濃度は、第２貯留空間（25）の浄化水の殺菌成分の濃度よりも低くなる。
【０１４９】
このように、本実施形態の浄化水生成装置（1）では、殺菌成分の濃度が互いに異なる二種類の浄化水が生成する。そして、ユーザーは、切換弁（79）を操作することによって、第１貯留空間（14）の浄化水と第２貯留空間（25）の浄化水を個別に、あるいは混合した状態で浄化水生成装置（1）から取り出すことができる。
【０１５０】
図１７に示すように、切換弁（79）を第１状態に設定すると、排水通路（38）が第１通路（77）に連通して第２通路（78）から遮断される。この状態で第２槽（20）が取り付けられた第１槽（10）をユーザーが傾けると、第１貯留空間（14）の浄化水（即ち、殺菌成分の濃度が低い浄化水）だけが、第１通路（77）と排水通路（38）とを順に通って浄化水生成装置（1）から排出される。その際、開閉カバー（39）は、排水通路（38）から流出する浄化水によって押し開けられる。
【０１５１】
図１８に示すように、切換弁（79）を第２状態に設定すると、排水通路（38）が第２通路（78）に連通して第１通路（77）から遮断される。この状態で第２槽（20）が取り付けられた第１槽（10）をユーザーが傾けると、第２貯留空間（25）の浄化水（即ち、殺菌成分の濃度が高い浄化水）だけが、第２通路（78）と排水通路（38）とを順に通って浄化水生成装置（1）から排出される。その際、開閉カバー（39）は、排水通路（38）から流出する浄化水によって押し開けられる。
【０１５２】
図１９に示すように、切換弁（79）を第３状態に設定すると、排水通路（38）が第１通路（77）と第２通路（78）の両方に連通する。この状態で第２槽（20）が取り付けられた第１槽（10）をユーザーが傾けると、第１貯留空間（14）の浄化水と第２貯留空間（25）の浄化水が混ざり合った浄化水（即ち、殺菌成分の濃度が中程度の浄化水）が、排水通路（38）を通って浄化水生成装置（1）から排出される。その際、開閉カバー（39）は、排水通路（38）から流出する浄化水によって押し開けられる。
【０１５３】
−実施形態７の効果−
本実施形態の浄化水生成装置（1）では、切換弁（79）の状態を切り換えることによって、排水通路（38）から排出される浄化水の殺菌成分の濃度を変更できる。従って、本実施形態によれば、浄化水生成装置（1）から取り出される浄化水の殺菌成分の濃度を、浄化水の用途に応じて変更でき、浄化水生成装置（1）の使い勝手を向上させることができる。
【０１５４】
−実施形態７の変形例１−
図２０及び図２１に示すように、本実施形態の浄化水生成装置（1）では、開閉カバー（39）がスライド移動することによって排水通路（38）を開閉するように構成されていてもよい。本変形例の開閉カバー（39）は、上蓋（36）に対してスライド自在に取り付けられている。そして、この開閉カバー（39）は、上蓋（36）の上面における排水通路（38）の開口部を覆う閉鎖位置（図２０に示す位置）と、上蓋（36）の上面における排水通路（38）の開口部を露出させる開放位置（図２１に示す位置）との間を、スライド移動可能となっている。
【０１５５】
−実施形態７の変形例２−
図１６Ａ〜図２１に示す本実施形態の浄化水生成装置（1）では、第２槽（20）の上蓋（36）からベントフィルター（37）が省略されていてもよい。本実施形態の浄化水生成装置（1）では、第２槽（20）の上蓋（36）に蓋側通気孔（97）が形成されており、第２貯留空間（25）は蓋側通気孔（97）を介して浄化水生成装置（1）の外部空間と連通する。このため、ベントフィルター（37）が省略されていても、浄化水生成装置（1）の機能は損なわれない。
【０１５６】
《その他の実施形態》
−第１変形例−
図２２に示すように、実施形態６及び実施形態７の浄化水生成装置（1）では、台座部（40）の位置決め用凸部（41）にカバー部材（42）が設けられていてもよい。このカバー部材（42）は、ユーザーが誤って第１台側接点（65）又は第２台側接点（66）に触れるのを防ぐために、位置決め用凸部（41）に設けられる。
【０１５７】
図２３Ａにも示すように、カバー部材（42）は、上面が湾曲した部材であって、位置決め用凸部（41）の窪み部（41a）を上側から覆うように設けられる。このカバー部材（42）は、位置決め用凸部（41）の下部側の辺を中心に回動自在となっている。また、カバー部材（42）は、ばね部材（43）によって押し上げられることによって、第１台側接点（65）及び第２台側接点（66）を覆う被覆位置（図２３Ａに示す位置）に保持される。
【０１５８】
ユーザーが第１槽（10）を台座部（40）に載せると、カバー部材（42）は、位置決め用凹部（19）の突出部（19a）によって下方へ押され、ばね部材（43）の力に打ち勝って下方へ移動する。その結果、カバー部材（42）は、図２３Ａに示す被覆位置から、図２３Ｂに示す露出位置へ移動する。カバー部材（42）が露出位置に在る状態では、第１台側接点（65）及び第２台側接点（66）が露出した状態となる。そして、位置決め用凹部（19）の突出部（19a）が位置決め用凸部（41）の窪み部（41a）に入り込み、台座部（40）の第１台側接点（65）が第１槽（10）の第１底部接点（63）と電気的に接続すると共に、台座部（40）の第２台側接点（66）が第１槽（10）の第２底部接点（64）と電気的に接続する。
【０１５９】
−第２変形例−
上記の各実施形態の浄化水生成装置（1）では、第１槽（10）の水槽部材（11）の材質が金属であってもよい。本変形例において、金属製の水槽部材（11）は、第１電極（51）を兼ねる。つまり、本変形例では、金属製の水槽部材（11）が、リード線（63a）を介して第１底部接点（63）に電気的に接続される。
【０１６０】
−第３変形例−
上記の各実施形態において、第２槽（20）が取り付けられた第１槽（10）は、起立した姿勢（つまり、注入用開口が上方を向く姿勢）で台座部（40）に載せられる。そして、その状態で電極（51,52）に電圧が印加され、殺菌成分の生成が行われる。
【０１６１】
しかし、殺菌成分を生成する際の第１槽（10）の姿勢は、起立した姿勢に限られない。つまり、第１槽（10）は、第２槽（20）が取り付けた状態で、横倒しの姿勢（つまり、注入用開口が横を向く姿勢）で台座部（40）に載せるように構成されていてもよい。この場合、第２槽（20）を取り付けた第１槽（10）が横倒しになっている状態で、電極（51,52）に電圧が印加され、殺菌成分の生成が行われる。
【０１６２】
−第４変形例−
上記の各実施形態の導電部材（60）では、対応する接点（61〜66）を物理的に接触させることによって、第１電極（51）及び第２電極（52）を電源ユニット（45）と電気的に接続している。
【０１６３】
これに対し、対応する接点（61〜66）を物理的に接触させずに、第１電極（51）及び第２電極（52）を電源ユニット（45）と電気的に接続してもよい。上記の各実施形態では、交番型の電圧が第１電極（51）と第２電極（52）に印加される。このため、例えば、対応する接点（61〜66）によってコンデンサ（キャパシタ）を構成すれば、対応する接点（61〜66）を物理的に接触させずに、第１電極（51）及び第２電極（52）を電源ユニット（45）と電気的に接続することが可能である。
【産業上の利用可能性】
【０１６４】
以上説明したように、本発明は、殺菌成分を含んだ浄化水を生成する浄化水生成装置について有用である。
【符号の説明】
【０１６５】
1    浄化水生成装置
10    第１槽
10a   注水用開口
14    第１貯留空間
20    第２槽
25    第２貯留空間
30    絶縁底部（絶縁壁部）
30a   膨出部
33    放電孔
36    上蓋（蓋部材）
38    水通路
40    台座部
45    電源ユニット（電源）
51    第１電極
52    第２電極
60    導電部材
61    第１上側接点（第１中間接続部）
62    第２上側接点（第２電極側接続部）
63    第１底部接点（第１電極側接続部）
64    第２底部接点（第２中間接続部）
65    第１台側接点（第１台側接続部）
66    第２台側接点（第２台側接続部）
70    導水構造
71    シールプラグ（シール部材）
72    貫通通路
72a   入口端
73    導水管（水通路）
77    第１通路（水通路）
78    第２通路（水通路）
79    切換弁
80    本体壁部
81    取付孔
83    取付用部材
87    第１Ｏリング
88    第２Ｏリング
90    給気機構
100    気泡
【図１】
2019051457.tif 000003
【図２】
2019051457.tif 000004
【図３Ａ】
2019051457.tif 000005
【図３Ｂ】
2019051457.tif 000006
【図３Ｃ】
2019051457.tif 000007
【図３Ｄ】
2019051457.tif 000008
【図４】
2019051457.tif 000009
【図５】
2019051457.tif 000010
【図６】
2019051457.tif 000011
【図７】
2019051457.tif 000012
【図８】
2019051457.tif 000013
【図９】
2019051457.tif 000014
【図１０】
2019051457.tif 000015
【図１１】
2019051457.tif 000016
【図１２】
2019051457.tif 000017
【図１３Ａ】
2019051457.tif 000018
【図１３Ｂ】
2019051457.tif 000019
【図１３Ｃ】
2019051457.tif 000020
【図１４】
2019051457.tif 000021
【図１５】
2019051457.tif 000022
【図１６Ａ】
2019051457.tif 000023
【図１６Ｂ】
2019051457.tif 000024
【図１７】
2019051457.tif 000025
【図１８】
2019051457.tif 000026
【図１９】
2019051457.tif 000027
【図２０】
2019051457.tif 000028
【図２１】
2019051457.tif 000029
【図２２】
2019051457.tif 000030
【図２３Ａ】
2019051457.tif 000031
【図２３Ｂ】
2019051457.tif 000032